(57)【特許請求の範囲】
【請求項１】
光コネクタを接続でき光ファイバを内部に保持する光ローゼットであって、
前記光ファイバを内部に保持するための空間部を有し、
前記空間部には、少なくとも長さもしくは径が異なる複数の光ファイバの接続部を重ねてはめ込んで保持する光ファイバ保持部が配置されており、 
前記光ファイバ保持部は、
前記光ローゼットの内部に突出して形成されており、互いに間隔をおいて対向して配置され、前記光ファイバ接続部の軸方向に沿って延びる第１側壁部と第２側壁部を有しており、
前記第１側壁部と前記第２側壁部の少なくとも一つは、中間部に弾性変形部を備えており、
対向する前記第１側壁部と前記第２側壁部との間で前記光ファイバの接続部をはめ込んで、前記第１側壁部の弾性変形部と第２側壁の部の弾性変形部により前記光ファイバ接続部を押圧して保持しており、
さらに、前記光ファイバ保持部は、複数の前記光ファイバの接続部が積み重ねた状態ではめ込んで保持可能な高さを備え、
前記第弾性変形部は、高さにより押圧力が異なることを特徴とする請求項１に記載の光ローゼット。
【請求項２】
前記第１側壁部及び第２側壁部は、それぞれの端部に互いに対向して設けられる端部突起と、前記弾性変形部より端部よりの中間部に互いに対向して設けられる中間突起とを有し、
対向して配置された前記第１側壁部の端部突起と前記第２側壁部の端部突起の間隔は、前記光ファイバの接続部の径または幅よりも狭く、
対向して配置された前記第１側壁部の中間突起と前記第２側壁部の中間突起の間隔は、前記光ファイバの接続部の径または幅と同じか僅かに大きい、
ことを特徴とする請求項１に記載の光ローゼット。
【請求項３】
前記第１側壁部と前記第２側壁部は、前記光ファイバ接続部の軸方向に沿って、それぞれ２つに分割されて設けられ、前記第１側壁部と前記第２側壁部の第１の組と、前記第１側壁部と前記第２側壁部の第２の組は、前記光ファイバの接続部の軸方向に沿って間隔を設けて配置されており、
さらに、前記光ファイバ保持部は、前記光ファイバ接続部の軸方向に延びる前記２つの第２の側壁部の間に前記光ファイバ接続部の軸方向に沿って設けられた第３側壁部を有しており、
前記第３側壁部は、
中間部と、
前記中間部の一方と他方に形成された弾性変形部と、を有し、
前記第３側壁部の前記弾性変形部は、テーパー状に傾斜して形成されており、
前記中間部の一方の前記弾性変形部は、前記第１の組の前記第１側壁部の前記弾性変形部に対面し、前記中間部の他方の前記弾性変形部は、前記第２の組の前記第１側壁部の前記弾性変形部に対面していることを特徴とする請求項１または２に記載の光ローゼット。
【請求項４】
前記第１側壁部と前記第２側壁部の第１の組と、前記第１側壁部と前記第２側壁部の第２の組は、前記光ファイバの接続部の軸方向に沿って間隔を設けて配置されており、
前記第１側壁部の前記弾性変形部は、前記光ファイバの接続部を押圧し、前記第２側壁部の前記弾性変形部は、前記光ファイバの接続部を反対方向から押圧して保持することを特徴とする請求項１または２に記載の光ローゼット。
【発明の詳細な説明】
【技術分野】
【０００１】
本発明は、光ローゼットに関し、特に光コネクタ同士を接続している光ファイバの接続部を内部に保持する光ローゼットに関する。
【背景技術】
【０００２】
光ローゼットは、例えばプラスチック製の薄型の容器であり、内部に光ファイバを収容しており、光コネクタを着脱可能に接続でき、この光ファイバには光コネクタの光ファイバが接続できるようになっている。
光ファイバの端部同士が、光ローゼット内で融着等や機械的な接続により光学的に接続されており、この光ファイバの端部同士を接続している光ファイバの接続部は、チューブ内に配置されて保護されている。このような光ローゼットの関連技術としては、光ファイバ同士の接続部を補強する補強部ホルダが、特許文献１に開示されている。
【特許文献１】特開２００６−５３２２１号公報
【発明の開示】
【発明が解決しようとする課題】
【０００３】
ところが、従来の補強部ホルダの構造では、細い光ファイバの接続部と太い光ファイバの接続部は、異なる位置に形成された両端挟持部に対してそれぞれ挟み込んで固定する必要がある。これらの両端挟持部は、複数の光ファイバの接続部の数に合わせて形成する必要があるので、大型化が避けられない。このため、少なくとも長さや直径の異なる複数の光ファイバ接続部を、同時にうまくコンパクトに収容して保持することができない。
【０００４】
そこで、本発明は上記課題を解消するために、長さや径の異なる複数の光ファイバ接続部をコンパクトに確実に保持でき、光ファイバの断線や光ファイバの亀裂の発生を防いで、光ファイバの光伝送性能を保持することができる光ローゼットを提供することを目的とする。
【課題を解決するための手段】
【０００５】
上記課題を解消するために、本発明の光ローゼットは、光コネクタを接続でき光ファイバを内部に保持する光ローゼットであって、
前記光ファイバを内部に保持するための空間部を有し、
前記空間部には、少なくとも長さもしくは径が異なる複数の光ファイバの接続部を重ねてはめ込んで保持する光ファイバ保持部が配置されており、
前記光ファイバ保持部は、
前記光ローゼットの内部に突出して形成されており、互いに間隔をおいて対向して配置され、前記光ファイバ接続部の軸方向に沿って延びる第１側壁部と第２側壁部を有しており、
前記第１側壁部と前記第２側壁部の少なくとも一つは、中間部に弾性変形部を備えており、
対向する前記第１側壁部と前記第２側壁部との間で前記光ファイバの接続部をはめ込んで、前記第１側壁部の弾性変形部と第２側壁の部の弾性変形部により前記光ファイバ接続部を押圧して保持しており、
さらに、前記光ファイバ保持部は、複数の前記光ファイバの接続部が積み重ねた状態ではめ込んで保持可能な高さを備え、
前記第弾性変形部は、高さにより押圧力が異なることを特徴とする。
【０００７】
本発明の光ローゼットは、好ましくは前記第１側壁部及び第２側壁部は、それぞれの端部に互いに対向して設けられる端部突起と、前記弾性変形部より端部よりの中間部に互いに対向して設けられる中間突起とを有し、
対向して配置された前記第１側壁部の端部突起と前記第２側壁部の端部突起の間隔は、前記光ファイバの接続部の径または幅よりも狭く、
対向して配置された前記第１側壁部の中間突起と前記第２側壁部の中間突起の間隔は、前記光ファイバの接続部の径または幅と同じか僅かに大きい、
ことを特徴とする。
【０００９】
本発明の光ローゼットは、好ましくは前記第１側壁部と前記第２側壁部は、前記光ファイバ接続部の軸方向に沿って、それぞれ２つに分割されて設けられ、前記第１側壁部と前記第２側壁部の第１の組と、前記第１側壁部と前記第２側壁部の第２の組は、前記光ファイバの接続部の軸方向に沿って間隔を設けて配置されており、
さらに、前記光ファイバ保持部は、前記光ファイバ接続部の軸方向に延びる前記２つの第２の側壁部の間に前記光ファイバ接続部の軸方向に沿って設けられた第３側壁部を有しており、
前記第３側壁部は、
中間部と、
前記中間部の一方と他方に形成された弾性変形部と、を有し、
前記第３側壁部の前記弾性変形部は、テーパー状に傾斜して形成されており、
前記中間部の一方の前記弾性変形部は、前記第１の組の前記第１側壁部の前記弾性変形部に対面し、前記中間部の他方の前記弾性変形部は、前記第２の組の前記第１側壁部の前記弾性変形部に対面していることを特徴とする。 
【００１０】
本発明の光ローゼットは、好ましくは、前記第１側壁部と前記第２側壁部の第１の組と、前記第１側壁部と前記第２側壁部の第２の組は、前記光ファイバの接続部の軸方向に沿って間隔を設けて配置されており、
前記第１側壁部の前記弾性変形部は、前記光ファイバの接続部を押圧し、前記第２側壁部の前記弾性変形部は、前記光ファイバの接続部を反対方向から押圧して保持することを特徴とする。 
【発明の効果】
【００１２】
本発明によれば、長さや径の異なる複数の光ファイバ接続部をコンパクトに確実に保持でき、光ファイバの断線や光ファイバの亀裂の発生を防いで、光ファイバの光伝送性能を保持することができる光ローゼットを提供できる。
【発明を実施するための最良の形態】
【００１３】
以下、図面を参照して、本発明の好ましい実施形態を詳細に説明する。  
図１は、本発明の光ローゼットの好ましい実施形態を示す斜視図である。図２は、この光ローゼットの分解斜視図である。
図１と図２に示す光ローゼット１は、外部の光コネクタを接続でき、光ファイバを内部に保持するための容器である。光ローゼット１は、例えばプラスチック成形により薄い箱形に作られており、本体部２と蓋部３を有している。本体部２はプラスチックの一体成形により形成されている。
【００１４】
図２に示すように、蓋部３は、本体部２の空間部４を着脱可能に閉じることができる。図２に示すように、本体部２は、側面部５，６，７，８と背面部９を有している。側面部５，６，７，８と背面部９は、空間部４を形成している。蓋部３は、平面部１０と、４つの突起部１１，１２，１３，１４を有している。これらの突起部１１，１２，１３，１４は、この平面部１０の四隅部分においてＴ方向に突出して形成されている。各突起部１１，１２，１３，１４は係合部１５を有している。
【００１５】
図２に示すように、本体部２の背面部９の内面には、空間部４において、ガイド部２３〜２８がＳ方向に突出して形成されている。ガイド部２３〜２８は、光ファイバを収納して保持するための薄板状のガイド部材であり、ガイド部２３はＸ方向とＹ方向に沿って形成され、ほぼＬ字形を有している。ガイド部２４は、Ｙ方向に沿って形成されている。光ファイバの保持部７０が、空間部４内であって、側面部５の内側において背面部９に対して一体成形により設けられている。
ガイド部２５，２６は、ガイド部２３，２４に対して間隔をおいて平行に形成されている。ガイド部２７，２８は、湾曲した部材であり、光ファイバ保持部７０とガイド部２５，２６の間に配置されている。
【００１６】
図２に示すように、本体部２の側面部５の内側には、別のガイド部３０，３１が形成されている。側面部６の内側には、ガイド部３２がガイド部２３に対して間隔をおいて形成されている。側面部８の内側には、ガイド部３３，３４が形成されている。各ガイド部２３〜２８とガイド部３０〜３４は、例えば光ファイバをはめ込んで収納する光ファイバ収納溝部３７〜３９を形成しており、これらの光ファイバ収納溝部３７〜３９には光ファイバを収容できる。
側面部６は、光ファイバコネクタを挿入するための開口部５０と、ガイド溝部５１がＸ方向に沿って形成されている。
【００１７】
図２に示すように、本体部２の側面部５の両端部には、凹部４０，４１が形成されている。側面部７の両端部には、凹部４２，４３が形成されている。これにより、図２の蓋部３が離れた状態から図１の蓋部３が空間部４を閉じた状態で示すように、蓋部３が本体部２の空間部４を閉じると、蓋部３の突起部１１，１２，１３，１４の係合部１５が凹部４０，４１，４２，４３に引っ掛かることで、蓋部３は、本体部２に対して着脱可能に固定して、空間部４を塞ぐことができる。
背面部９は、２つの穴部４８，４９を有しており、穴部４８，４９は、光ローゼット１を例えば壁などの固定するための部位に対して例えばネジの頭に対して引っ掛けて保持するために形成されている。
【００１８】
図２と図３に示す光ファイバの保持部７０は、図３に示す光ファイバの端部同士の接続部であるチューブ７１、あるいは光ファイバの端部同士の接続部であるコネクタ部品７２を挟み込んで固定することができる。
【００１９】
光ファイバの端部同士の接続部のチューブ７１は、光ファイバ接続部に相当しており、光ファイバＦ１，Ｆ２の端部７３，７４の接続部分を被覆しているプラスチック製のチューブである。光ファイバＦ１，Ｆ２の端部７３，７４の接続部分は、融着により光学的に光が通るように接続されている。
【００２０】
また、光ファイバの端部同士の接続部分のコネクタ部品７２は、光ファイバＦ１，Ｆ２の端部７３，７４の接続部分を被覆しているプラスチック製部材である。光ファイバＦ１，Ｆ２の端部７３，７４の接続部分は、突き合わせることにより光学的に光が通るように接続されている。
【００２１】
図３に示す光ファイバの保持部７０は、１つのチューブ７１かコネクタ部品７２、あるいは２つ以上の少なくとも長さあるいは径の異なるチューブ７１かコネクタ部品７２を着脱可能にはめ込んで保持することができる。
【００２２】
ここで、図４〜図８を参照して、光ファイバの保持部７０の構造を説明する。
図４は、２つのチューブ７１を挟み込んで保持する前の状態を示す光ファイバの保持部７０の斜視図である。図５は、光ファイバの保持部７０の平面図であり、図６は、光ファイバの保持部７０の斜視図である。図７は、２つのチューブ７１を挟み込んで保持した後の状態を示す光ファイバの保持部７０の斜視図である。図８は、本体部２内で２つのチューブ７１を光ファイバの保持部７０を用いて保持した状態を示す平面図である。
【００２３】
図４〜図６を参照すると、光ファイバの保持部７０は、平板状の基部８０と、第１側壁部８１，８２と、第２側壁部８３，８４と、第３側壁部８５とを有している。平板状の基部８０は、背面部９の一部である。この光ファイバの保持部７０は、弾性変形可能な材料、好ましくはプラスチックの成型品である。図５に示すように、第１側壁部８１，８２と、第２側壁部８３，８４と、第３側壁部８５は、基部８０の上面からＶ方向に突出して形成されている。第１側壁部８１，８２は、Ｔ方向に沿って間隔Ｄをおいて直列に形成されている。第２側壁部８３，８４と、第３側壁部８５は、Ｔ方向に沿って間隔Ｄ１をおいて直列に形成されている。第１側壁部８１と第２側壁部８３は第１組の側壁グループであり、第１側壁部８２と第２側壁部８４は第２組の側壁グループである。
【００２４】
図５に示すように、第２側壁部８３は間隔Ｄ２をおいて第１側壁部８１に対面しており、第２側壁部８４は間隔Ｄ２をおいて第１側壁部８２に対面している。第２側壁部８３のＴ方向の長さは、第１側壁部８１のＴ方向の長さに比べて小さく、第２側壁部８４のＴ方向の長さは、第１側壁部８２のＴ方向の長さに比べて小さい。第３側壁部８５は、間隔Ｄに対面する位置に形成されている。
【００２５】
図４と図５に示すように、第１側壁部８１は、端部突起８１Ｂと中間突起８１Ｃと弾性変形部８１Ｄを有している。第１側壁部８２は、端部突起８２Ｂと中間突起８２Ｃと弾性変形部８２Ｄを有している。
【００２６】
これに対して、第２側壁部８３は、端部突起８３Ｂと中間突起８３Ｃを有し、第２側壁部８４は、端部突起８４Ｂと中間突起８４Ｃを有している。端部突起８１Ｂ、８３Ｂは対面しており、中間突起８１Ｃ、８３Ｃは対面している。端部突起８２Ｂ、８４Ｂは対面しており、中間突起８２Ｃ、８４Ｃは対面している。
【００２７】
図５に示すように、端部突起８１Ｂ、８３Ｂ、中間突起８１Ｃ、８３Ｃ、端部突起８２Ｂ、８４Ｂ、中間突起８２Ｃ、８４Ｃは、Ｖ方向に沿って形成されている。弾性変形部８１Ｄ、８２Ｄは、側壁部８１，８２に対してそれぞれ角度θで第３側壁部８５側に傾斜して形成されている。
【００２８】
図５に示すように、第３側壁部８５は、中間部８５Ｂと弾性変形部８５Ｃ、８５Ｄを有しており、弾性変形部８５Ｃ、８５Ｄは第３側壁部８５の両側に形成されている。弾性変形部８５Ｃ、８５Ｄは、中間部８５Ｄに対して角度θ１で傾斜して形成されている。
【００２９】
さらに、図４に示すように、弾性変形部８５Ｃ、８５Ｄは、Ｖ方向（垂直方向）に対して、角度θ２で傾斜して形成されており、弾性変形部８５Ｃ、８５Ｄの先端部８５Ｆは、基部側部分８５Ｇに比べてＴ方向に広がるように形成されている。言い換えれば、弾性変形部８５Ｃ、８５Ｄの先端部８５Ｆから基部側部分８５Ｇに向かうにしたがって幅が狭まっている。
【００３０】
この角度θ２は、２０度〜８９度が好ましいが、特に好ましくは６０度〜８０度である。角度θ２が２０度未満であると、第３側壁部８５の小型化が難しくチューブ７１を保持することが難しくなり、８９度を超えるとチューブ７１を保持することが難しくなる。弾性変形部８１Ｄ、８２Ｄと弾性変形部８５Ｃ、８５Ｄはそれぞれ対面している。
【００３１】
このように、第３側壁部８５には弾性変形部８５Ｃ、８５Ｄが設けられているので、少なくとも長さもしくは直径の異なる複数本のチューブ７１が重ねた状態で確実に保持できる。すなわち、例えば直径は同じであるが長さが異なる複数本のチューブ７１が重ねた状態で確実に保持できる。例えば長さは同じであるが直径が異なる複数本のチューブ７１が重ねた状態で確実に保持できる。さらには、長さと直径の両方が異なる複数本のチューブ７１が重ねた状態で確実に保持できる。
【００３２】
これにより、第３側壁部８５の弾性変形部８５Ｃ、８５Ｄは、複数本のチューブ７１のサイズの違いを吸収しながら、複数本のチューブ７１を確実に保持できる。しかも、複数本のチューブ７１は、積み重ねるようにして、すなわち多段になるように保持できるので、光ファイバ保持部の大型化を避けることができ、長さや径の異なる複数の光ファイバ接続部をコンパクトに確実に保持でき、光ファイバの断線や光ファイバの亀裂の発生を防いで、光ファイバの光伝送性能を保持することができる。
【００３３】
図５に示す端部突起８１Ｂ、８３Ｂの間隔Ｇと端部突起８２Ｂ、８４Ｂの間隔Ｇは、図４に示すチューブ７１の直径よりも小さい。これにより、端部突起８１Ｂ、８３Ｂと端部突起８２Ｂ、８４Ｂは、チューブ７１の両端部を確実に保持することができる。中間突起８１Ｃ、８３Ｃの間隔Ｍと中間突起８２Ｃ、８４Ｃの間隔Ｍは、図４に示すチューブ７１の直径とほぼ同じであるか、わずかに大きい。これにより、中間突起８１Ｃ、８３Ｃと中間突起８２Ｃ、８４Ｃは、チューブ７１の中間部分の外周面を確実に保持できる。
【００３４】
図４〜図６に示す基部８０の裏面は、図１２に示すように、収容空間領域６０内の背面部９の内面９Ｂに対して接着剤により固定することもできる。
図４は、２つのチューブ７１が光ファイバの保持部７０に対して保持される前の状態であり、図７と図８は、２つのチューブ７１が光ファイバ保持部７０に対して保持された後の状態を示している。２つのチューブ７１は、次のようにしてはめ込まれて保持される。
【００３５】
２つのチューブ７１は、Ｖ方向に重ねるようにしてはめ込まれ、チューブ７１の一方の端部は、端部突起８１Ｂ、８３Ｂにより位置決めされ、チューブ７１の他方の端部は、端部突起８２Ｂ、８４Ｂにより位置決めされる。
また、チューブ７１の中間部は、中間突起８１Ｃ、８３Ｃと中間突起８２Ｃ、８４Ｃにより固定され、さらに弾性変形部８１Ｄ、８２Ｄと弾性変形部８５Ｃ、８５Ｄが弾性変形することでチューブ７１の中間部の外周面が両側から押圧して保持される。これにより、チューブ７１は、Ｖ方向に移動しないように保持できる。
【００３６】
ところで、既に説明したように、図４と図７の示すように、弾性変形部８５Ｃ、８５ＤがＶ方向（垂直方向）に対して、傾斜して形成されており、弾性変形部８５Ｃ、８５Ｄの先端部８５Ｆは、基部側部分８５Ｇに比べてＴ方向に広がるように形成されているので、２つの重ねられたチューブ７１，７１は弾性変形によりＶ方向に緩まないように押圧して保持できる。これにより、弾性変形部８１Ｄ、８２Ｄ、８５Ｃ、８５Ｄが弾性変形することで、光ファイバ保持部７０は、２つのチューブ７１がＶ方向に積み重ねた状態ではめ込んで確実に保持できる。
【００３７】
従って、複数本のチューブ７１のサイズの違いを吸収しながら、複数本のチューブ７１を確実に保持できる。しかも、複数本のチューブ７１は、積み重ねるようにして、すなわち多段になるように保持できるので、光ファイバ保持部の大型化を避けることができ、長さや径の異なる複数の光ファイバ接続部をコンパクトに確実に保持でき、光ファイバの断線や光ファイバの亀裂の発生を防いで、光ファイバの光伝送性能を保持することができる。
【００３８】
上述した実施形態では、光ファイバ保持部７０は、光ローゼットに対して一体成形されており、部品点数を減らすことができ、成形も容易にできる。光ファイバ保持部７０は、少なくとも長さもしくは径の異なる複数の光ファイバの接続部を重ねて保持できるので、光ファイバの接続部の長さや太さが異なっても、光ファイバ保持部７０は、容易に重ねて保持できる汎用性を有している。
【００３９】
図８（Ａ）に示す実施形態は、上述した実施形態とは異なる。２つの少なくとも長さもしくは径が異なるチューブ７１が、光ファイバの保持部７０により積み重ねて保持されており、光ファイバの保持部７０は収容空間領域６０内の背面部９の内面９Ｂに対して接着剤により固定している。これにより、図８（Ｂ）と図８（Ｃ）に示す比較例のように、複数のチューブ７１がＴ１方向に移動してしまったり、Ｔ２方向に移動してしまうのを防ぎ、光ファイバの接続部分の位置を固定することができる。  
【００４０】
このように複数のチューブ７１が移動しないので、光ファイバＦ１，Ｆ２の湾曲する位置８８，８９が自由に変化してしまうのを防止でき、光ファイバＦ１，Ｆ２の断線や光ファイバＦ１，Ｆ２の亀裂の発生を防いで、光ファイバＦ１，Ｆ２の光伝送性能を保持することができる
【００４１】
次に、図９を参照して、本発明の別の実施形態を説明する。
図９は、本発明の光ローゼットにおける光ファイバ保持部の別の実施形態を示す斜視図である。
【００４２】
光ファイバ保持部７０Ｄは、平板状の基部１８０と、第１側壁部１８１，１８２と、第２側壁部１８３，１８４を有している。この基部１８０は背面部の一部である。第１側壁部１８１は、端部突起１８１Ｂと中間突起１８１Ｃと弾性変形部１８１Ｄを有している。
第２側壁部１８４は、端部突起１８４Ｂと中間突起１８４Ｃと弾性変形部１８４Ｄを有している。第１側壁部１８１と第２側壁部１８３の第１の組の側壁グループと、第２側壁部１８４と第１側壁部１８２の第２の組の側壁グループとは、基部１８０に対して間隔をおいて配置されている。
【００４３】
図９に示すように、第２側壁部１８３は、端部突起１８３Ｂと中間突起１８３Ｃを有し、第１側壁部１８２は、端部突起１８２Ｂと中間突起１８２Ｃを有している。端部突起１８１Ｂ、１８３Ｂは対面しており、中間突起１８１Ｃ、１８３Ｃは対面している。端部突起１８２Ｂ、１８４Ｂは対面しており、中間突起１８２Ｃ、１８４Ｃは対面している。弾性変形部１８１Ｄは２つ形成され、弾性変形部１８４Ｄも２つ形成されている。弾性変形部１８１Ｄと弾性変形部１８４Ｄは、反対方向から２つのチューブ７１をそれぞれ弾性変形して押圧して保持する。
これにより、２つの弾性変形部１８１Ｄと２つの弾性変形部１８４Ｄが弾性変形することで、２つの光ファイバ保持部７０Ｄは、２つのチューブ７１をＶ方向に積み重ねた状態ではめ込んで保持することができる。 
【００４４】
次に、図１０を参照して、本発明の別の実施形態を説明する。
図１０は、本発明の光ローゼットに使用される光ファイバ保持部の別の実施形態を示す斜視図である。
【００４５】
光ファイバ保持部７０Ｈは、平板状の基部２８０と、側壁部２８１，２８２と、側壁部２８３，２８４を有している。側壁部２８１は、端部突起２８１Ｂと中間突起２８１Ｃを有している。側壁部２８２は、端部突起２８２Ｂと中間突起２８２Ｃを有している。側壁部２８３は、端部突起２８３Ｂと中間突起２８３Ｃを有し、側壁部２８４は、端部突起２８４Ｂと中間突起２８４Ｃを有している。さらに、側壁部２８５は２つの弾性変形部２８５Ｄを有している。
【００４６】
これにより、光ファイバ保持部７０Ｈは、２つの弾性変形部２８５Ｄが弾性変形することで、２つのチューブ７１をＶ方向に積み重ねた状態ではめ込んだ状態で押圧して保持することができる。
【００４７】
図１１と図１２は、本発明の別の実施形態を示しており、図２の実施形態と異なるのは、空間部４の収容空間領域６０内に光ファイバ保持部７０が配置できることである。また、側面部５の内側には、ガイド部２０，２１，２２が配置されている。収容空間領域６０内には、光ファイバ保持部７０の基部が例えば接着剤を用いて背面部９の内面９Ｂに対して固定されている。
【００４８】
さらに他の実施形態としては、図２の実施形態のように側面部５の内側に光ファイバ保持部７０を配置すると同時に、図１１と図１２に示すように、もう１つの光ファイバ保持部７０を収容空間領域６０内に配置しても良い。
【００４９】
図１３は、光ファイバ保持部７０の別の実施形態を示しており、弾性変形部８５Ｃ、８５Ｄの先端部８５Ｆから基部側部分８５Ｇに向かうにしたがって幅が広がっており、垂直線Ｖに対して鈍角θ３により傾斜している。
【００５０】
次に、図１４〜図１８を参照して、光ローゼット１のシャッター装置１００の構造を説明する。
図１４は、開閉部材１０１が開口部５０を完全に閉じている状態を示している。図１５は、この開閉部材１０１をＸ１方向にスライドして開口部５０を半分開いた状態を示している。図１６は、図１４のＫ方向から見た開閉部材１０１の状態を示し、図１７は、図１５のＫ方向から見た開閉部材１０１の状態を示している。
【００５１】
シャッター装置１００は、図１４と図１に示すように、本体部２の開口部５０を手動で開閉して、図１４に示す２つの光コネクタ１３１，１３２を挿入するための装置である。光コネクタ１３１，１３２は、それぞれ光ファイバＦに接続されている。シャッター装置１００は板状の開閉部材１０１を備えており、開口部５０はＸ方向に形成された長方形の穴である。
【００５２】
図１７と図１８に示すように、開閉部材１０１は、３つの凹部１１１，１１２，１１３を有しており、これらの凹部１１１，１１２，１１３はＸ１方向に関して間隔をおいて形成されている。
【００５３】
一方、図１７と図１８に示すように、本体部２の内部には、例えば１つの凸部１４１が形成されており、開閉部材１０１がＸ１方向に移動することで、凹部１１１，１１２，１１３のいずれか１つが凸部１４１とかみ合うようになっている。凹部１１１，１１２，１１３のいずれか１つが凸部１４１とかみ合うことで、開閉部材１０１は、Ｘ方向に関する位置決めを行うことができる。
【００５４】
開閉部材１０１は、本体部２のガイド溝部５１内に挿入することでＸ方向に移動可能に配置されており、しかも保持部１１４により保持されている。保持部１１４は、本体部２の内部に設けられている。これにより、開閉部材１０１は、ガイド溝部５１と保持部１１４にガイドされることで、Ｘ１方向とＸ２方向に沿って移動操作可能である。開閉部材１０１は、使用者が指で移動操作するための突起部１１５を有している。この保持部１１４は、開閉部材１０１が外れないように仮止めする仮止め機構部である。凸部１４１は開閉部材１０１を位置決めする位置決め機構部である。これらの保持部１１４と凸部１４１は、１つの成形体であるので、部品点数を減らすことができ、安価に製造できる。
【００５５】
図１７と図１８に示すように、本体部２の内部には、ボックス１２１が配置されている。このボックス１２１は、収容空間部１２１Ｂ、１２２Ｂを有している。収容空間部１２１Ｂ、１２２Ｂの開口部１２１Ｃ、１２２Ｃは、本体部２の開口部５０に対面している。図１７に示すこれらの収容空間部１２１Ｂ、１２２Ｂには、それぞれ光コネクタ１３１，１３２が挿入できるようになっている。
【００５６】
次に、上述したシャッター装置１００の操作例について、図１４〜図１８を参照して説明する。
まず、図１４と図１６に示すように、開閉部材１０１が開口部５０を完全に閉じている状態では、凸部１４１は最も上の凹部１１１にはまり込んでいるので、開閉１０１はＸ１方向には移動しない。
【００５７】
使用者が開閉部材１０１の突起部１１５を持ってＸ１方向にスライドすると、凹部１１１は突起部１４１から離れて、図１５と図１７に示すように開口部５０の下半分が開く。このように開口部５０が半分開いた状態では、凹部１１２が凸部１４１にはまり込むので、開閉部材１０１はＸ方向に移動しない。この状態では、図１７に示すように、光コネクタ１３２が開口部５０を通じてボックス１２１の収容空間部１２２Ｂ内に収容することができる。
【００５８】
さらに、もう１つの光コネクタ１３１を収容したい場合には、図１８に示すように、使用者が開閉部材１０１の突起部１１５を持ってさらにＸ１方向にスライドすると、凹部１１２は突起部１４１から離れて、図１８に示すように開口部５０の全部を開く。このように開口部５０を全部開いた状態は、凹部１１３が凸部１４１にはまり込むので、開閉部材１０１はＸ方向に移動しない。
【００５９】
この状態では、図１８に示すように、光コネクタ１３１が開口部５０を通じてボックス１２１の収容空間部１２１Ｂ内に収容することができる。これにより、２つの光コネクタ１３１，１３２は光ローゼット１内に挿入して保持することができる。２つの光コネクタ１３１，１３２の光ファイバＦは内部に収容された光ファイバに対して光学的に接続することができる。
【００６０】
本発明の実施形態の光ローゼットは、光コネクタを接続でき光ファイバを内部に保持する光ローゼットであって、光ファイバを内部に保持するための空間部を有し、空間部には、少なくとも長さもしくは径が異なる複数の光ファイバ接続部を重ねてはめ込んで保持する光ファイバ保持部が配置されている。これにより、長さや径の異なる複数の光ファイバ接続部をコンパクトに確実に保持でき、光ファイバの断線や光ファイバの亀裂の発生を防いで、光ファイバの光伝送性能を保持することができる。
【００６１】
光ファイバ保持部は、光ローゼットの内部に突出して形成されて光ファイバ接続部をはめ込んで弾性変形することで保持し、弾性変形することで光ファイバ接続部を押圧する第１側壁部と、第１側壁部とは対向する位置に形成されて第１側壁部との間で光ファイバ接続部をはめ込んで保持する第２側壁部と、を有する。これにより、第１側壁部と第２側壁部は、少なくとも長さもしくは径の異なる複数の光ファイバ接続部を重ねるようにしてはめ込むだけで保持することができる。光ファイバ接続部の装着作業が容易である。
【００６２】
第１側壁部と第２側壁部は、光ファイバ接続部の端部を固定する端部突起と、光ファイバ接続部の中間部分を保持する中間突起と、それぞれを有する。これにより、端部突起は光ファイバ接続部の端部を位置決めし、中間突起は光ファイバ接続部の中間部を保持し、そして弾性変形部は光ファイバ接続部を押圧して保持できるので、光ファイバ接続部は確実に着脱自在に保持できる。
【００６３】
弾性変形部は、光ファイバ接続部に対応して弾性変形可能に突出して形成されている。これにより、弾性変形部は、光ファイバ接続部を確実に押圧して保持できる。
光ファイバ保持部には、複数の光ファイバ接続部が積み重ねた状態ではめ込んで保持され、弾性変形部は、各前記光ファイバ接続部に対応して弾性変形可能に突出して形成されている。これにより、弾性変形部は、複数本の光ファイバ接続部をそれぞれ確実に押圧して保持できる。
【００６４】
第１側壁部と前記第２側壁部の第１組と、前記第１側壁部と前記第２側壁部の第２組は、前記基部において前記光ファイバ接続部の軸方向に沿って間隔を設けて配置されている。さらに、光ファイバ接続部保持部は、第３側壁部を有している。この第３側壁部は、中間部と、中間部の一方と他方に形成された弾性変形部と、を有している。第３側壁部の弾性変形部は、テーパー状に傾斜して形成されており、中間部の一方の弾性変形部は、第１組の第１側壁部の弾性変形部に対面し、中間部の他方の弾性変形部は、第２組の第１側壁部の弾性変形部に対面している。これにより、少なくとも長さもしくは径の異なる複数本の光ファイバ接続部を、さらに確実に押圧して保持することができる。
【００６５】
第１側壁部と第２側壁部の第１組と、第１側壁部と第２側壁部の第２組は、基部において光ファイバ接続部の軸方向に沿って間隔を設けて配置されており、第１側壁部の弾性変形部は、光ファイバ接続部を押圧し、第２側壁部の弾性変形部は、光ファイバ接続部を反対方向から押圧して保持する。これにより、少なくとも長さもしくは径の異なる複数本の光ファイバ接続部はさらに確実に押圧して保持することができる。
【００６６】
ところで、本発明は、上記実施形態に限定されず種々の変形例を採用できる。
各実施形態は、任意に組み合わせて構成することができる。
【００６７】
図２に示すように蓋部３は、本体部２に対して突起部１１，１２，１３，１４を用いて着脱可能に固定できる。しかし、これに限らず、蓋部と本体部は、ヒンジで連結して、ヒンジとは反対側の部分を例えば２つの突起部で着脱可能に固定しても良い。
１つの光ファイバ保持部が、光ローゼット内に収納して固定されているが、２以上の光ファイバ保持部を収納して固定しても良い。
光ファイバ保持部が保持する光ファイバ同士の接続部分のチューブの本数は、１つまたは３つ以上であっても良い。
【００６８】
また、光ローゼットは、２つの光コネクタを挿入して保持できるシャッター装置を有している。しかしこれに限らず、光ローゼットは、３つ以上の光コネクタを挿入して保持できるようにしても良い。
【図面の簡単な説明】
【００６９】
【図１】本発明の光ローゼットの好ましい実施形態を示す斜視図である。
【図２】光ローゼットの分解斜視図である。
【図３】本体部と光ファイバ保持部を示す斜視図である。
【図４】２つのチューブを挟み込んで保持する前の状態を示す光ファイバ保持部の斜視を示す図である。
【図５】光ファイバ保持部の平面図である。
【図６】光ファイバ保持部の斜視図である。
【図７】２つのチューブを挟み込んで保持した後の状態を示す光ファイバ保持部の斜視図である。
【図８】本体部内で２つのチューブが光ファイバ保持部を用いて保持した状態を示す平面図である。
【図９】本発明の別の実施形態を示す図である。
【図１０】本発明の別の実施形態を示す図である。
【図１１】本発明の別の実施形態を示す図である。
【図１２】図１１の実施形態を示す図である。
【図１３】本発明のさらに別の実施形態を示す図である。
【図１４】開閉部材が開口部を完全に閉じている状態を示す斜視図である。
【図１５】開閉部材をＸ１方向に持ち上げて開口部の下部を開いた状態を示す斜視図である。
【図１６】図１４のＫ方向から見た開閉部材の状態を示す斜視図である。
【図１７】図１５のＫ方向から見た開閉部材の状態を示す斜視図である。
【図１８】開閉部材が完全に開いた状態を示す斜視図である。
【符号の説明】
【００７０】
１          光ローゼット
２          本体部
３          蓋部
４          空間部
５０        開口部
５１        ガイド溝部
６０        収容空間領域
７０        光ファイバ保持部
７１        光ファイバ端部同士の接続部分のチューブ（光ファイバの接続部に相当）
７２        コネクタ部品
８０        平板状の基部
８１，８２  第１側壁部
８３，８４  第２側壁部
８５        第３側壁部
Ｆ１，Ｆ２  光ファイバ
８１Ｂ      端部突起
８１Ｃ      中間突起
８１Ｄ      弾性変形部
８２Ｂ      端部突起
８２Ｃ      中間突起
８２Ｄ      弾性変形部
８３Ｂ      端部突起
８３Ｃ      中間突起
８４Ｂ      端部突起
８４Ｃ      中間突起
８５Ｃ、８５Ｄ  弾性変形部
１００      シャッター装置
１０１      開閉部材
【図１】
0005144324.tif 000002
【図２】
0005144324.tif 000003
【図３】
0005144324.tif 000004
【図４】
0005144324.tif 000005
【図５】
0005144324.tif 000006
【図６】
0005144324.tif 000007
【図７】
0005144324.tif 000008
【図８】
0005144324.tif 000009
【図９】
0005144324.tif 000010
【図１０】
0005144324.tif 000011
【図１１】
0005144324.tif 000012
【図１２】
0005144324.tif 000013
【図１３】
0005144324.tif 000014
【図１４】
0005144324.tif 000015
【図１５】
0005144324.tif 000016
【図１６】
0005144324.tif 000017
【図１７】
0005144324.tif 000018
【図１８】
0005144324.tif 000019